(57)【特許請求の範囲】
【請求項１】
厚み方向の全域に亘って原料が存在していない空間部を有する吸収体の製造方法であって、
開口部が形成された通気性シートを、被搬送物を保持部で吸引保持しつつ搬送する搬送手段の該保持部に密着させた状態で、空気中に飛散させた前記原料を該保持部上に吸引して堆積体を形成し、該通気性シート上に該堆積体が積層した積層体を得る堆積工程と、前記積層体を前記保持部から剥離する剥離工程とを具備し、
前記堆積工程において前記保持部における前記開口部に対応する部位に堆積した前記原料が、前記剥離工程後に該部位に残存する、吸収体の製造方法。
【請求項２】
前記堆積工程の前に、前記開口部が形成されていない通気性シート原反に該開口部を形成する開口部形成工程を具備する、請求項１記載の吸収体の製造方法。
【請求項３】
前記搬送手段は、前記保持部からの吸引力が相対的に強い強吸引部と、該吸引力が相対的に弱い弱吸引部とを、被搬送物の搬送方向に有し、前記堆積工程を該強吸引部で実施し、前記剥離工程を該弱吸引部で実施する、請求項１又は２記載の吸収体の製造方法。
【請求項４】
前記搬送手段の近傍で前記保持部と対向する位置に、該保持部に吸引保持されつつ搬送される前記通気性シートを該保持部から遠ざかる方向に案内し且つ該保持部に向けて空気流を噴射可能なガイドロールを配置する、請求項１〜３の何れか一項に記載の吸収体の製造方法。
【請求項５】
前記剥離工程後に、前記保持部から剥離した前記積層体を前記通気性シートとは別のシートで被覆する被覆工程を具備する、請求項１〜４の何れか一項に記載の吸収体の製造方法。
【請求項６】
前記剥離工程後に、前記保持部から剥離した前記積層体を別途製造した吸収体原料層に重ね合わせる重合工程を具備する、請求項１〜５の何れか一項に記載の吸収体の製造方法。
【発明の詳細な説明】
【技術分野】
【０００１】
本発明は、吸収体の製造方法に関する。
【背景技術】
【０００２】
使い捨ておむつや生理用ナプキン、失禁パッド等の吸収性物品の製造においては、空気中に飛散させた吸収体の原料（解繊パルプ等の繊維材料、吸水性ポリマーの粒子等）を、回転ドラム等の吸引装置の外面に形成された凹部に吸引して堆積させ、該凹部内に堆積した堆積体を、そのまま、あるいは透水性のシート材（台紙）で被覆して吸収体として用いることが行われている。
【０００３】
吸収体の製造に関し、特許文献１には、吸収体の原料を、凹部を周面に形成した回転ドラムの該周面に巻き付けた不織布上に堆積させた後、該原料により形成される吸収体を該不織布と共に台紙上に受け渡すようにした吸収性物品の製造装置が記載されている。特許文献１に記載の吸収性物品の製造装置によれば、回転ドラムの周面に巻き付けた不織布中に吸収体が食い込むことにより、あたかも一枚の紙状の如き吸収体を形成することが可能となるため、その後の吸収体の台紙上への受け渡しが安定し、吸収体がバラバラにならずに所定の凹部の形状を保持した状態で台紙上に受け渡すことができるとされている。
【０００４】
また、吸収体の原料が堆積していない非積繊部（厚み方向の全域に亘って原料が存在していない空間部）を有する吸収体の製造に関し、例えば特許文献２には、長手方向中央部の両側縁部に、幅方向内方に括れた括れ部（非積繊部）を有する吸収体の製造方法として、括れ部を有しない長尺状の堆積物を形成し、該堆積物における括れ部の形成予定位置を、括れ部に対応した形状を有する吸引口を周面に備えた吸引ドラムの該吸引口により吸引除去する方法が記載されている。また特許文献３には、回転ドラムの凹部の底面を形成する底面板に、非積繊部を形成するための凸部を突出形成することが記載されている。
【先行技術文献】
【特許文献】
【０００５】
【特許文献１】特開平１０−１３７２８６号公報
【特許文献２】特開２００６−３４０９４０号公報
【特許文献３】特開２００７−５４２１９号公報
【発明の概要】
【発明が解決しようとする課題】
【０００６】
厚み方向の全域に亘って原料が存在していない空間部を有する吸収体を製造する場合、特許文献２に記載の製造方法では、空間部の平面視形状に合わせた吸引口を備えた吸引ドラムを用いるため、空間部の位置や形状を変更する場合には、吸引口を含めた吸引ドラムの構成を変更する必要があり、そのため、製造コストの高騰や吸引ドラムの交換作業の煩雑化を招くおそれがある。また、特許文献３に記載の製造方法では、空間部に対応した凸部が突出形成された底面板を用いるため、空間部の位置や形状を変更する場合には、底面板を変更する必要があり、特許文献２に記載の製造方法と同様の不都合が懸念される。前記空間部を有する吸収体を効率良く製造する方法は未だ提供されていない。
【０００７】
従って、本発明は、厚み方向の全域に亘って原料が存在していない空間部を有する吸収体を効率良く製造し得る吸収体の製造方法に関する。
【課題を解決するための手段】
【０００８】
本発明は、厚み方向の全域に亘って原料が存在していない空間部を有する吸収体の製造方法であって、開口部が形成された通気性シートを、被搬送物を保持部で吸引保持しつつ搬送する搬送手段の該保持部に密着させた状態で、空気中に飛散させた前記原料を該保持部上に吸引して堆積体を形成し、該通気性シート上に該堆積体が積層した積層体を得る堆積工程と、前記積層体を前記保持部から剥離する剥離工程とを具備し、前記堆積工程において前記保持部における前記開口部に対応する部位に堆積した前記原料が、前記剥離工程後に該部位に残存する、吸収体の製造方法を提供するものである。
【発明の効果】
【０００９】
本発明の吸収体の製造方法によれば、厚み方向の全域に亘って原料が存在していない空間部を有する吸収体を効率良く製造することができる。
【図面の簡単な説明】
【００１０】
【図１】図１は、本発明の製造方法により製造される吸収体の一例を模式的に示す図で、図１（ａ）は平面図、図１（ｂ）は図１（ａ）のＩ−Ｉ線断面図、図１（ｃ）は空間部に沿って屈曲した状態を示す断面図である。
【図２】図２は、本発明の吸収体の製造方法の実施に用い得る吸収体の製造装置の一例を示す模式断面図であり、（ａ）〜（ｄ）は、それぞれ、図２中の符合（ａ）〜（ｄ）で示す位置における通気性シートや堆積体の模式的な上面図である。
【図３】図３は、図２に示す製造装置における回転ドラム（吸引装置）の外周面及びその近傍のドラム幅方向（回転軸方向）に沿う断面を示す断面図である。
【図４】図４は、図２に示す製造装置におけるガイドロールの模式断面図である。
【図５】図５は、本発明の製造方法により製造される吸収体の他の例を模式的に示す図で、図５（ａ）は平面図、図５（ｂ）は図５（ａ）のＩＩ−ＩＩ線断面図である。
【図６】図６は、本発明の吸収体の製造方法の実施に用い得る吸収体の製造装置の他の例を示す模式断面図である。
【図７】図７は、本発明の製造方法により製造される吸収体の更に他の例の幅方向に沿う断面図（図１（ｂ）相当図）である。
【発明を実施するための形態】
【００１１】
以下に、本発明の吸収体の製造方法を、その好ましい一実施態様（第１実施態様）に基づき図面を参照しながら説明する。本発明で製造する吸収体は、吸収性物品の吸収体として好ましく用いられる。吸収性物品は、主として尿や経血等の身体から排泄される体液を吸収保持するために用いられるものである。吸収性物品には、例えば使い捨ておむつ、生理用ナプキン、失禁パッド、パンティライナー等が包含されるが、これらに限定されるものではなく、人体から排出される液の吸収に用いられる物品を広く包含する。
【００１２】
吸収性物品は、典型的には、表面シート、裏面シート及び両シート間に介在配置された液保持性の吸収体を具備している。表面シート及び裏面シートとしては、当該技術分野において通常用いられている材料を特に制限なく用いることができる。例えば、表面シートとしては、親水化処理が施された各種不織布や開孔フィルムを用いることができる。裏面シートとしては、熱可塑性樹脂のフィルムや、該フィルムと不織布とのラミネートを用いることができ、水蒸気透過性を有するものを用いることもできる。
【００１３】
第１実施態様の製造方法により製造される吸収体１Ａは、図１に示すように、液保持性の吸収性コア２Ａが、液透過性の被覆シート３により被覆されて構成されている。吸収性コア２Ａは、図１（ａ）に示すように、平面視して一方向に長い形状（矩形形状）を有し、その周縁から所定距離離間した位置に、厚み方向の全域に亘って原料が存在していない一対の空間部４，４を有している。空間部４は、図１（ａ）に示すように、平面視して矩形形状を有し、吸収性コア２Ａの長手方向Ｘに沿う両側縁２ｓ，２ｓそれぞれから長手方向Ｘと直交する幅方向Ｙの内方に所定距離離間した位置に形成されている。空間部４の長手方向Ｘの長さは、吸収性コア２Ａの長手方向Ｘの長さに対して、好ましくは１０〜９０％、更に好ましくは３０〜７０％である。また、空間部４の幅方向Ｙの長さ（幅）は、好ましくは５〜３０ｍｍ、更に好ましくは１０〜２０ｍｍである。空間部４の幅方向Ｙの長さは、吸収性コア２Ａの幅方向Ｙの長さに対して、好ましくは５〜５０％、更に好ましくは１０〜２５％である。
【００１４】
吸収性コア２Ａは、後述するように、吸収体の原料を堆積して得られる堆積体からなる。吸収体の原料としては、当該技術分野において通常用いられている材料を特に制限なく用いることができ、例えば繊維材料として、解繊パルプ等のパルプ繊維、レーヨン繊維、コットン繊維等のセルロース系繊維の短繊維や、ポリエチレン等の合成繊維の短繊維等が用いられる。これらの繊維材料は、１種を単独で又は２種以上を組み合わせて用いることができる。また、吸収体の原料として、繊維材料と共に、粒子状又は繊維状の吸水性ポリマーを用いることもでき、更に必要に応じ、消臭剤や抗菌剤等を用いることもできる。
【００１５】
被覆シート３は、図１に示すように、吸収性コア２Ａの幅方向Ｙの長さの２倍以上３倍以下の幅を有する１枚のシートであり、吸収性コア２Ａの一面及び他面それぞれの全域を被覆している。吸収性コア２Ａの一面における幅方向Ｙの中央部には、被覆シート３の長手方向Ｘに沿う両側縁部が重ね合わされた重合部３１が、吸収性コア２Ａの長手方向Ｘの全長に亘って形成されている。重合部３１において、これを構成する被覆シート３の両側縁部どうしは、ホットメルト型接着剤等の公知の接合手段により接合されていても良い。被覆シート３としては、当該技術分野において通常用いられている液透過性の材料を特に制限なく用いることができ、例えば、ティッシュペーパー、スパンボンド不織布、スパンボンド−メルトブローン−スパンボンド不織布、スパンボンド−メルトブローン−メルトブローン−スパンボンド不織布、ニードルパンチ不織布、スパンレース不織布、乾式パルプシート、エアスルー不織布、エアレイドシート、開孔フィルム等を用いることができる。
【００１６】
図１（ｂ）に示すように、吸収性コア２Ａと被覆シート３との間には通気性シート５が介在配置されている。通気性シート５は、吸収性コア２Ａにおける、被覆シート３の重合部３１が存する面（重合部配置面）とは反対側の面を直接被覆している。通気性シート５は、図１に示す如き吸収体１Ａの平面視において、吸収性コア２Ａと同形状で同寸法あるいは吸収性コア２Ａよりやや幅広であり、空間部４に対応する部位（平面視して空間部４と重なる部位）に、平面視して空間部４と同形状（矩形形状）で同寸法の開口部６を有している。開口部６は、通気性シート５を厚み方向に貫通しており、厚み方向の全域に亘って通気性シート５の形成材料が存在していない部位である。通気性シート５としては、前述した被覆シート３として使用可能なものを用いることができる。
【００１７】
吸収体１Ａは、肌対向面を形成する表面シート、非肌対向面を形成する裏面シート及び両シート間に介在配置された吸収体を具備する吸収性物品において、該吸収体として好適に用いられる。その場合、前記重合部配置面が肌対向面（吸収性物品の着用時に着用者の肌側に向けられる面）とされ、該重合部配置面とは反対側の面が非肌対向面〔吸収性物品の着用時に肌側とは反対側（着衣側）に向けられる面〕とされても良く、あるいはこれとは逆に、該重合部配置面が非肌対向面とされ、該重合部配置面とは反対側の面が肌当対向面とされても良い。何れの配置形態にしても、吸収体１Ａを具備する吸収性物品によれば、吸収性コア２Ａに、厚み方向の全域に亘って吸収体の原料が存在しておらず、尿等の体液の引き込み速度が他の部位に比して大きい空間部４が形成されているため、表面シート上に排泄された体液は、空間部４の作用によって速やかに吸収体１Ａ側に引き込まれ、それによって優れた防漏性、表面ドライ感が得られる。また、吸収体１Ａは、図１（ｃ）に示すように、長手方向Ｘに延びる空間部４を折曲線として、空間部４よりも幅方向Ｙの外方に位置する両側部が屈曲し易いため、吸収体１Ａを具備する吸収性物品は、着用者の肌に追従し易くフィット性に優れる。
【００１８】
また、吸収体１Ａは、通気性シート５を含んで構成されていることにより、吸収性物品に組み込まれて使用された場合には、該吸収性物品の肌対向面（前記表面シートの肌対向面）のドライ感（表面ドライ感）を向上させ得る。即ち、通気性シート５が非肌対向面側（前記裏面シート側）に位置するように吸収体１Ａが吸収性物品に組み込まれた場合、体液は、空間部４の作用によって吸収体１Ａ内に速やかに引き込まれた後、非肌対向面側に配置された通気性シート５によって保持されるため、液戻りが生じ難く、優れた表面ドライ感が得られる。また、通気性シート５が肌対向面側（前記表面シート側）に位置するように吸収体１Ａが吸収性物品に組み込まれた場合、体液は、通気性シート５を伝って吸収性コア２Ａの肌対向面の全域に拡散し、且つ空間部４を伝って非肌対向面側へ速やかに移行するので、優れた表面ドライ感が得られる。
【００１９】
次に、吸収体１Ａの製造に用いられる製造装置１０Ａについて説明する。製造装置１０Ａは、図２に示すように、円筒状の回転ドラム１１と、回転ドラム１１の外面（外周面）に吸収体の原料を供給するダクト１６とを備え、更に、被覆シート３及び通気性シート５（通気性シート原反５’）それぞれの搬送路を形成する多数のロール並びに被覆シート３の折り返し手段２０等を備えている。折り返し手段２０としては、吸収体あるいは吸収性物品の製造においてシートの折り返しに従来用いられてきた装置と同様の装置を用いることができ、例えば、折り返しガイドや折り返しバー等が挙げられる。
【００２０】
回転ドラム１１は、被搬送物を保持部で吸引保持しつつ搬送する搬送手段の一例であり、外面（外周面）に凹部１５が形成され且つ凹部１５の底面１５ａ（保持部）からの吸引を行うように構成されており、図３に示すように、金属製の剛体からなる中空円筒状のドラム本体１２と、ドラム本体１２の外面側に重ねて固定された多孔性プレート１３と、多孔性プレート１３の外面側に重ねて固定されたパターン形成プレート１４とを有している。凹部１５は、吸収体の原料を堆積させて堆積体３０（被搬送物）を形成する部位であり、回転ドラム１１の外周面における回転軸方向Ｙ（ドラム幅方向）の中央部に、周方向の全長に亘って連続して形成されている。第１実施態様においては、吸収性コア２Ａの幅方向Ｙ（図１参照）と回転ドラム１１の回転軸方向Ｙとが一致しており、従って、吸収性コア２Ａの長手方向Ｘは、回転ドラム１１の回転方向Ｒ１（図２参照）と一致している。
【００２１】
多孔性プレート１３は、凹部１５の底面１５ａ（保持部）を形成するもので、多数の細孔を有し、空気流に乗せて供給された吸収体の原料を透過させずに空気のみを透過させる。多孔性プレート１３としては、金属又は樹脂製のメッシュプレートや、金属又は樹脂製の板にエッチングやパンチングで多数の細孔を形成したもの等が用いられる。
【００２２】
パターン形成プレート１４は、凹部１５の幅（回転軸方向Ｙの長さ）を規定するもので、凹部１５を挟んで回転軸方向Ｙの両側に一対配されている。また、パターン形成プレート１４は、その回転ドラム１１の周方向に沿う内側端面が、凹部１５の内側面１５ｂを形成しており、凹部１５の深さを決定する要素となっている。パターン形成プレート１４の取り付け位置（一対のパターン形成プレート１４，１４の間隔）や厚み（前記内側端面の高さ）は、吸収性コア２Ａ（堆積体３０）の幅や原料の堆積量等を考慮して決定される。パターン形成プレート１４は、非通気性であり、例えばステンレス板等の金属板からなり、その厚みは例えば２〜１２ｍｍ程度である。
【００２３】
回転ドラム１１の回転軸方向Ｙの一端には、モータ等の原動機からの動力を受けて回転する平面視円形状の回転板（図示せず）が固定されており、回転ドラム１１は、この回転板の回転によって回転軸回りを図２中の矢印Ｒ１方向に回転する。一方、回転ドラム１１の回転軸方向Ｙの他端には、製造装置１０Ａの他の構成部材に固定されていて回転しない平面視円形状の固定板（図示せず）が固定されている。この固定板には、回転ドラム１１（ドラム本体１２）の内部を周方向に複数の領域に仕切るプレートが固定されており、このプレートによって、回転ドラム１１の内部には、相互間が仕切られた空間Ａ、Ｂ、Ｃ及びＤが形成されている。つまり、空間Ａ〜Ｄどうし間は、前記固定板から前記回転板に向かって延びるプレートにより仕切られている。前記回転板に固定されたドラム本体１２等が回転しても、前記固定板に固定されたプレートは回転せず、従って、空間Ａ、Ｂ、Ｃ及びＤの位置は変わらない。
【００２４】
空間Ａ及びＢには、回転ドラム１１の外部に設けられた吸気ファン等の吸引力の発生源（図示せず）が接続されており、該発生源を作動させることにより、空間Ａ及びＢ内を負圧に維持可能である。凹部１５が、負圧に維持された空間Ａ及びＢ上を通過している間、凹部１５の底面１５ａを形成する多孔性プレート１３の細孔が吸引孔として機能する。第１実施態様においては、後述する剥離工程をスムーズに実施する観点から、空間Ｂは空間Ａに比して吸引力が小さく設定されている。即ち、回転ドラム１１（搬送手段）は、凹部１５の底面１５ａ（保持部）からの吸引力が相対的に強い強吸引部と、該吸引力が相対的に弱い弱吸引部とを、堆積体３０（被搬送物）の搬送方向（回転ドラム１１の回転方向Ｒ１）に有し、空間Ａ上の底面１５ａが該強吸引部、空間Ｂ上の底面１５ａが該弱吸引部として機能する。
【００２５】
空間Ｃは、後述する剥離工程後に、凹部１５の底面１５ａ上に残存する不使用原料３２（後述する堆積工程において底面１５ａにおける通気性シート５の開口部６に対応する部位に堆積した吸収体の原料）を、後述する回収手段１７に受け渡す際に、回転ドラム１１（ドラム本体１２）の内部から底面１５ａ（多孔性プレート１３）に向かうブロー（空気流）が生じる領域である。また、空間Ｄは、底面１５ａ（多孔性プレート１３）をはじめとする回転ドラム１１の構成部材のクリーニング領域であり、該構成部材に残存する吸収体の原料を、回転ドラム１１の外周面に近接して設けられた原料受け（図示せず）に受け渡すために、回転ドラム１１（ドラム本体１２）の内部から底面１５ａ（多孔性プレート１３）に向かうブロー（空気流）が生じる領域である。空間Ｃ及びＤのブローの発生源（図示せず）は、回転ドラム１１の外部に設けられており、該ブローの発生源と空間Ｃ及びＤとはそれぞれ個別のダクトを通じて連通している。尚、回転ドラム１１はクリーニング領域を有していなくても良く、その場合、空間Ｄにブローを発生させる必要はない。
【００２６】
ダクト１６は、図２に示すように、その一端側が、前記空間Ａ上に位置する回転ドラム１の外周面を覆っており、図示しない他端側には、図示しない吸収体原料導入装置を有している。空間Ａ上に位置する凹部１５の底面１５ａからの吸引により、ダクト１６内には、前記吸収体原料導入装置から底面１５ａに向けて流れる空気流が生じるように構成されている。前記吸収体原料導入装置は、例えば、シート状の木材パルプを粉砕して解繊パルプとし、その解繊パルプ（繊維材料）をダクト１６内に送り込む粉砕機を備えている。ダクト１６の途中に吸水性ポリマーの粒子を導入する吸水性ポリマー導入部を設けることもできる。
【００２７】
回収手段１７は、後述する剥離工程後に、凹部１５の底面１５ａ上に残存する不使用原料３２を吸引して回収し、回収した不使用原料３２を前記吸収体原料導入装置に供給できるようになっている。
【００２８】
第１実施態様の製造方法においては、開口部が形成されていない通気性シート原反５’に開口部６を形成し、こうして開口部６が形成された通気性シート５を回転ドラム１１の外周面上に供給する。斯かる開口部形成工程を実施する手段として、製造装置１０Ａは、図２に示すように、回転ドラム１１よりもシート搬送方向ＭＤの上流側に、カッター刃を有するカッターロールとこれを受けるアンビルロールとからなる開口部形成手段１８を備えている。通気性シート原反５’を、開口部形成手段１８における前記カッターロールと前記アンビルロールとの間を通過させることにより、所定位置に開口部６が形成された通気性シート５が得られる。通気性シート原反５’から切除された、開口部６と同形状の不要部は、不要部回収装置２９によって吸引回収される。
【００２９】
後述するように、通気性シート５は、回転ドラム１１の空間Ａの外周面上（ダクト１６に覆われた部分）を搬送中は、凹部１５の底面１５ａに密着した状態とされるが、空間Ａを通過して空間Ｂの外周面上に移行すると、該通気性シート５上に堆積した吸収体の原料（堆積体３０）と共に底面１５ａから剥離され、回転ドラム１１から遠ざかる方向に搬送される。第１実施態様の製造方法においては、斯かる通気性シート５の回転ドラム１１からの剥離（後述する剥離工程）をスムーズに実施するために、図２及び図４に示すように、回転ドラム１１の近傍で凹部１５の底面１５ａと対向する位置に、底面１５ａに吸引保持されつつ搬送される通気性シート５を底面１５ａから遠ざかる方向に案内するガイドロール１９を配置している。より具体的には、ガイドロール１９は、空間Ｂ上で、ダクト１６の前記一端側におけるシート搬送方向ＭＤの下流側の端部の近傍に配置されている。ガイドロール１９は、金属製の剛体からなる中空円筒状のロール本体（図示せず）と、該ロール本体の外面側に重ねて固定され、ガイドロール１９の外周面を形成する外周面プレート（図示せず）とを有し、回転ドラム１１の回転軸と平行な回転軸回りを矢印Ｒ２方向に回転可能になされている。ガイドロール１９の回転軸方向（ドラム幅方向）の長さは、回転ドラム１１のそれと略同じである。
【００３０】
尚、ガイドロール１９は、金属製のものに制限されず、他の材料から構成されていても良く、例えばカーボン製のものでも良い。カーボン製のガイドロール１９は、金属製のガイドロール１９に比して軽く、外周面における他の部材との摩擦が少なく、イナーシャが小さいため、通気性シート５に大きな搬送テンションをかけずにこれを搬送することが可能である。従って、カーボン製のガイドロール１９は、通気性シート５が大きな搬送テンションをかけられないものである場合、例えば、伸長性の高いシートや坪量の小さいシートである場合に特に有用である。
【００３１】
ガイドロール１９は、図４に示すように、その内部にブロー領域１９Ａが形成されており、このブロー領域１９Ａにより、ガイドロール１９の外周面から凹部１５の底面１５ａに向けて空気流を噴射可能になされている。第１実施態様の製造方法においては、後述するように、堆積工程において底面１５ａにおける通気性シート５の開口部６に対応する部位に堆積した吸収体の原料（堆積体３０中の不使用原料３２）が、通気性シート５の底面１５ａからの剥離（剥離工程）後に該部位に残存するようにし、そうすることによって空間部４を有する吸収体１Ａを製造しているところ、ブロー領域１９Ａは、斯かる剥離工程後の不使用原料３２の残存をより安定的に行うために、ガイドロール１９の内部からその外周面に向かうブロー（空気流）が生じる領域である。
【００３２】
ブロー領域１９Ａは、ガイドロール１９における回転ドラム１１との最近接部Ｐ又はその近傍からガイドロール１９の回転方向Ｒ２（周方向）に所定距離離間した位置に亘る領域の全幅〔ガイドロール１９の幅方向（回転軸方向）の全域〕に亘って存しており、第１実施態様ではガイドロール１９の周方向の略１／４を占めている。ブロー領域１９Ａは、ガイドロール１９を構成する前記ロール本体等が回転軸回りを回転しても、回転しないようになっている。ブロー領域１９Ａのブローの発生源（図示せず）は、ガイドロール１９の外部に設けられている。ガイドロール１９の外周面を形成する前記外周面プレートは、ブロー領域１９Ａによるブローを有効にする観点から、通気性を有しており、具体的には、凹部１５の底面１５ａを形成する多孔性プレート１３と同様の素材から形成されているが、該素材に限定されるものではない。尚、ブロー領域１９Ａによるブローは、通気性シート５及びその上に積層した吸収体の原料（堆積体３０）で形成された積層体３５の搬送方向の全幅（シート搬送方向ＭＤと直交する方向の全域）に亘って均一に実施されても良く、あるいは通気性シート５の開口部６に対応する部位（不使用原料３２の存する部位）にのみ選択的に実施しても良い。ここで、「堆積体」は、凹部内に堆積され通気性シート上に積層させた解繊パルプや吸水性ポリマー等の吸収体の原料であり、「積層体」は、通気性シート及び通気性シート上に積層させた堆積体で形成される。通気性シートも吸収体の構成材料の一部である。
【００３３】
次に、前述した吸収体の製造装置１０Ａを用いて吸収体１Ａを連続的に製造する方法、即ち、本発明の吸収体の製造方法の第１実施態様について、図２を参照しながら説明する。第１実施態様の製造方法は、開口部６が形成された通気性シート５を、回転ドラム１１（搬送手段）の凹部１５の底面１５ａ（保持部）に密着させた状態で、吸収体の原料（解繊パルプ等の繊維材料、吸水性ポリマーの粒子等）を底面１５ａ上に吸引して凹部１５内に堆積体３０を形成し、通気性シート５上に堆積体３０が積層した積層体３５を得る「堆積工程」と、積層体３５を底面１５ａから剥離する「剥離工程」とを具備する。第１実施態様の製造方法においては、前記堆積工程を前記強吸引部（回転ドラム１１の空間Ａ上の凹部１５の底面１５ａ）で実施し、前記剥離工程を前記弱吸引部（回転ドラム１１の空間Ｂ上の凹部１５の底面１５ａ）で実施する。
【００３４】
製造装置１０Ａを用いて吸収体１Ａを製造するためには、回転ドラム１１を方向Ｒ１に回転させると共に、回転ドラム１１内の空間Ａ及びＢ内を、それぞれに接続された前記吸引力の発生源を作動させて負圧にする。前述したように、空間Ｂは空間Ａに比して吸引力が小さくなるように設定される。主として空間Ａ内を負圧にすることにより、ダクト１６内に、吸収体の原料を回転ドラム１１の外周面に搬送し得る空気流が生じる。この状態で、ダクト１６の図示しない他端側から吸収体の原料を供給すると、該原料は前記空気流に乗り、飛散状態となって回転ドラム１１の外周面（凹部１５）に向けて供給される。
【００３５】
先ず、開口部が形成されていないロール状の通気性シート原反５’が、駆動ロール及び従動ロールからなる複数のロールに案内されて回転ドラム１１に向けて搬送され、その途中に配置された開口部形成手段１８によって、シート搬送方向ＭＤ（通気性シート原反５’の長手方向）に延びる一対の矩形形状の開口部６，６を形成され、開口部６が形成された帯状の通気性シート５とされる（図２（ａ）参照）。
【００３６】
こうして開口部６が形成された通気性シート５は、回転ドラム１１の外周面に形成された凹部１５上に供給され、ダクト１６に覆われた空間Ａの外周面上を搬送中は、凹部１５の底面１５ａからの吸引により該底面１５ａに密着する。通気性シート５の幅（シート搬送方向ＭＤと直交する方向の長さ）は、凹部１５の幅（回転ドラム１１の回転軸方向の長さ）と略同じ、もしくは、それよりも広く設定されており、空間Ａの外周面上を搬送中の底面１５ａは、開口部６に対応する部位を除き、通気性シート５で被覆された状態となる。通気性シート５は、凹部１５の底面１５ａに密着した状態で、回転ドラム１１の回転によってダクト１６に覆われた部分（空間Ａ）に搬送され、該部分において吸収体の原料が吸引されて凹部１５内に堆積体３０が形成され、結果として、通気性シート５上に堆積体３０が積層された、通気性シート５と堆積体３０との２層構造の積層体３５が得られる（堆積工程）。この堆積工程では、ダクト１６に覆われた部分（空間Ａ）を通過中の凹部１５の底面１５ａの全域に向けて吸収体の原料が供給されるため、該底面１５ａに密着した通気性シート５はもとより、通気性シート５で被覆されていない、底面１５ａにおける通気性シート５の開口部６に対応する部位にも該原料が堆積する（図２（ｂ）参照）。ダクト１６の前記一端側におけるシート搬送方向ＭＤの下流側（ガイドロール１９の近傍）においては、凹部１５が略完全に吸収体の原料（堆積体３０）によって覆われた状態になる。
【００３７】
積層体３５は、ダクト１６に覆われた部分（空間Ａ）を通過後、空間Ｂを通過中にガイドロール１９に案内されて凹部１５の底面１５ａから剥離される（剥離工程）。底面１５ａに通気性シート１５を介して密着している積層体３５を、該通気性シート５ごと該底面１５ａから剥離していくと、前記堆積工程において底面１５ａにおける通気性シート５の開口部６に対応する部位（以下、開口部対向部ともいう）に堆積した吸収体の原料は、通気性シート５上に存しておらず底面１５ａ上に吸引保持された状態にあるため、剥離されていく積層体３５側に留まらずに、開口部６を介して積層体３５の下方から離脱し、結果として、底面１５ａの前記開口部対応部に吸引保持されたまま残存する。図２中の符合３２は、斯かる積層体３５の剥離後に底面１５ａ上に残存する吸収体の原料（以下、不使用原料ともいう）を示している。そして、積層体３５から不使用原料３２が離脱する結果、積層体３５における堆積体３０には、通気性シート５の開口部６に対応する部位に、厚み方向の全域に亘って吸収体の原料が存在していない空間部４が形成され、吸収性コア２Ａとされる（図２（ｃ）参照）。
【００３８】
第１実施態様の製造方法においては、前述したガイドロール１９のブロー領域１９の作用により、ガイドロール１９の外周面から凹部１５の底面１５ａに向けてブロー（空気流）が噴射されるため、該外周面に近接している積層体３５に該ブローが当たり、それによって不使用原料３２の積層体３５からの離脱が一層促進され、前記剥離工程が一層スムーズに実施される。また、前記剥離工程は、積層体３５が空間Ａ（ダクト１６に覆われた部分）を通過して空間Ｂに移行したところで実施されるところ、前述したように、空間Ｂは空間Ａに比して吸引力が弱い弱吸引部であるため、空間Ｂでの積層体３５の剥離は、空間Ａでのそれに比してスムーズに行われ易い。このように、前記剥離工程を前記弱吸引部（回転ドラム１１の空間Ｂ上の凹部１５の底面１５ａ）で実施することによっても、前記剥離工程のスムーズな実施が図られる。尚、不使用原料３２の積層体３５からの離脱に関し、ガイドロール１９によるブローが果たす役割は、基本的に補助的なものであるので、該ブローの排出力（積層体３５から不使用原料３２を押し出す力）は、ブロー領域１９に対向配置された回転ドラム１１の空間Ｂ（弱吸引部）の吸引力に比して、通常弱く設定される。
【００３９】
このように、ガイドロール１９（搬送手段の保持部に向けて空気流を噴射可能なガイドロール）は、不使用原料３２の積層体３５からの離脱促進に有用ではあるが、本発明の製造方法の実施に際し必須のものではなく、ガイドロール１９は無くても良い。ガイドロール１９を用いる場合は、第１実施態様のように、回転ドラム１１の空間Ｂ（搬送手段の弱吸引部）と対向する位置にガイドロール１９を配置することが好ましく、そうすることによって、ガイドロール１９によるブローと空間Ｂによる弱吸引とが相俟って、不使用原料３２の積層体３５からの離脱（積層体３５の剥離）がより一層促進される。ガイドロール１９を用いない場合は、不使用原料３２の積層体３５からの離脱を補助する、ガイドロール１９からのブロー（空気流）が無いため、空間Ｂの吸引力は、ブローがある場合と比較して大きくする必要があり、その場合、通気性シート５の搬送テンションを増加させる必要が生じる場合がある。
【００４０】
また、ガイドロール１９（搬送手段の保持部に向けて空気流を噴射可能なガイドロール）と回転ドラム１１の空間Ｂ（搬送手段の弱吸引部）との組み合わせの採用によって、通気性シート５（積層体３５）の回転ドラム１１からの剥離が促進されるので、通気性シート５の搬送テンションの増加を防ぐことが可能となり、それによって通気性シート５の選択の幅が広がり、また、搬送テンションに起因する通気性シート５の幅縮みが抑制される。通気性シート５の搬送テンションが大きすぎると、幅縮みが生じて通気性シート５の幅（シート搬送方向ＭＤと直交する方向の長さ）が小さくなり、設計通りの幅が得られなくなるおそれがある。
【００４１】
前記剥離工程後、凹部１５の底面１５ａ上に残存する不使用原料３２は、回転ドラム１１の回転によって空間Ｂから空間Ｃに搬送され、空間Ｃ上にて回収手段１７の吸引によって底面１５ａから剥離されて回収される。前述したように、空間Ｃでは、回転ドラム１１（ドラム本体１２）の内部から底面１５ａ（多孔性プレート１３）に向かうブロー（空気流）が生じているため、回収手段１７の吸引力と相俟って、不使用原料３２の回収は一層スムーズに実施される。回収手段１７によって回収された不使用原料３２は、ダクト１６の前記吸収体原料導入装置に供給され、吸収体の原料として再利用される。
【００４２】
回収手段１７による不使用原料３２の回収後、底面１５ａ（多孔性プレート１３）をはじめとする回転ドラム１１の構成部材は、回転ドラム１１の回転によって空間Ｄに搬送され、空間Ｄで発生している、回転ドラム１１（ドラム本体１２）の内部から底面１５ａ（多孔性プレート１３）に向かうブロー（空気流）によって、残存する吸収体の原料が脱落されてクリーニングされる。空間Ｄで回転ドラム１１から脱落した吸収体の原料を、ダクト１６の前記吸収体原料導入装置に供給して吸収体の原料として再利用しても良い。
【００４３】
第１実施態様の製造方法においては、前記剥離工程後に、凹部１５の底面１５ａから剥離した積層体３５を通気性シート５とは別のシート（被覆シート３）で被覆する（被覆工程）。より具体的には、積層体３５を構成する通気性シート５及び堆積体３０（吸収性コア２Ａ）それぞれよりも幅広の帯状の被覆シート３を、積層体３５における通気性シート５に直接重ねるように供給して３層積層体を得、該３層積層体を折り返し手段２０に導入する。被覆シート３を通気性シート５に重ねる前に、被覆シート３における通気性シート５との対向面の所定箇所に、図示しない接着剤塗布手段によりホットメルト型接着剤等の接着剤を塗布しても良い。
【００４４】
折り返し手段２０において、前記３層積層体は、被覆シート３における幅方向Ｙ（シート搬送方向ＭＤと直交する方向）の外方に延出している両側縁部（換言すると、積層体３５が載置されていない領域）が堆積体３０上に折り返される（図２（ｄ）参照）。その結果、積層体３５が被覆シート３で被覆された帯状の吸収体１Ａが得られる。前記被覆工程後、帯状の吸収体１Ａを切断装置（図示せず）によって吸収性物品一個分の長さに順次切断することにより、複数個の吸収体１Ａが連続的に得られる。
【００４５】
第１実施態様の製造方法によれば、開口部６が形成された通気性シート５を用い、これを回転ドラム１１（搬送手段）の凹部１５の底面１５ａ（保持部）に密着させた状態で吸収体の原料を該底面１５ａ上に吸引堆積し、該凹部１５内に通気性シート５と堆積体３０との積層体３５を形成し、然る後、積層体３５を底面１５ａから剥離し、それによって底面１５ａにおける開口部６に対応する部位に堆積した不使用原料３２を積層体３５から離脱させて、堆積体３０に空間部４を形成する（吸収性コア２Ａを形成する）ようにしたので、公知の通常の吸収体製造装置（積繊装置）に付帯されていない特殊な設備、例えば、空間部を有しない吸収体中間体の空間部形成予定位置から吸収体材料を除去するための設備の導入や既存の設備の大幅改造を必要とせず、既存の設備を利用して、空間部４を有する吸収体１Ａを効率良く製造することができる。また、空間部４の位置や形状を変更する場合には、開口部形成手段１８による開口部形成条件を変更し、通気性シート５の開口部６の位置や形状や数等を変更するだけで足りるため、斯かる変更作業が容易であり、比較的低コストで吸収体１Ａを製造できる。
【００４６】
以下、本発明の他の実施態様について説明する。後述する他の実施態様については、前述した第１実施態様と異なる構成部分を主として説明し、同様の構成部分は同一の符号を付して説明を省略する。特に説明しない構成部分は、前述した第１実施態様についての説明が適宜適用される。
【００４７】
図５には、本発明の第２実施態様の製造方法により製造される吸収体１Ｂが示されている。図１に示す吸収体１Ａの吸収性コア２Ａは、単層構造であるのに対し、図５に示す吸収体１Ｂの吸収性コア２Ｂは、第１層２１と第２層２２との積層体からなる２層構造である。第１層２１は、吸収体１Ａの吸収性コア２Ａと同様に構成されており、第１層２１（吸収性コア２Ｂ）の長手方向Ｘに沿う両側縁２ｓ，２ｓそれぞれから長手方向Ｘと直交する幅方向Ｙの内方に所定距離離間した位置に、厚み方向の全域に亘って原料が存在していない一対の空間部４，４を有している。第２層２２は、長手方向Ｘの長さは第１層２１のそれと同じであるが、幅方向Ｙの長さ（幅）が、第１層２１における一対の空間部４，４の間隔と略同じであり、平面視において、第１層２１に比して幅狭の矩形形状を有している。第２層２２は、第１層２１における一対の空間部４，４間に配置されている。通気性シート５は、第１層２１における第２層２２との対向面とは反対側の面を直接被覆しており、また、通気性シート５に接触するように、被覆シート３の重合部３１が吸収性コア２Ｂの長手方向Ｘの全長に亘って形成されている。吸収体１Ｂによっても、吸収体１Ａと同様の効果が奏される。特に、吸収体１Ｂによれば、吸収性コア２Ｂの第１層２１の幅方向Ｙの中央部と第２層２２とが厚み方向で重なっているため、吸収体の幅方向Ｙの中央部が単層構造である場合に比して、排泄された体液を保持できる量が増し、優れた防漏性、表面ドライ感が奏される。
【００４８】
図６には、吸収体１Ｂの製造に用いられる製造装置１０Ｂが示されている。図６に示すように、製造装置１０Ｂは吸引装置として２台の回転ドラム１１，２５を備えており、回転ドラム１１は第１層２１（積層体）の形成に用いられ、回転ドラム２５は第２層２２（吸収体原料層）の形成に用いられる。
【００４９】
製造装置１０Ｂにおける回転ドラム１１の内部には、相互間が仕切られた空間Ｅ、Ｆ及びＧが形成されている。空間Ｅには、回転ドラム１１の外部に設けられた吸引力の発生源（図示せず）が接続されており、該発生源を作動させることにより、空間Ｅ内を負圧に維持可能である。空間Ｆは空間Ｅに比して吸引力が小さく設定されており、空間Ｅ上の底面１５ａは、吸引力が相対的に強い強吸引部、空間Ｆ上の底面１５ａは、該吸引力が相対的に弱い弱吸引部として機能する。また、回転ドラム１１の近傍で空間Ｆと対向する位置にはガイドロール１９が設けられており、第２実施態様でも第１実施態様と同様に、搬送手段の保持部（空間Ｆの底面１５ａ）に向けて空気流を噴射可能なガイドロールと搬送手段の弱吸引部（空間Ｆ）との組み合わせが採用されている。空間Ｇは、前記剥離工程後に、凹部１５の底面１５ａ上に残存する不使用原料３２を回収手段１７に受け渡す際に、回転ドラム１１（ドラム本体１２）の内部から底面１５ａ（多孔性プレート１３）に向かうブロー（空気流）が生じる領域である。空間Ｇのブローの発生源（図示せず）は、回転ドラム１１の外部に設けられている。
【００５０】
製造装置１０Ｂにおける回転ドラム２５は、基本的に回転ドラム１１と同様に構成されており、その外周面における回転軸方向（ドラム幅方向）の中央部に、吸収体の原料を堆積させて第２層２２（吸収体原料層）を形成する凹部（図示せず）が、周方向の全長に亘って連続して形成されている。回転ドラム２５の内部には、相互間が仕切られた空間Ｈ，Ｉ及びＪが形成されている。空間Ｈには、回転ドラム２５の外部に設けられた吸引力の発生源（図示せず）が接続されており、該発生源を作動させることにより、空間Ｈ内を負圧に維持可能である。空間Ｉは、前記凹部内に形成された第２層２２を、回転ドラム２５の下方を走行する帯状の被覆シート３上に転写させる際に、斯かる転写をスムーズに行うべく、回転ドラム２５（ドラム本体）の内部から図示しない前記凹部の底面（多孔性プレート）に向かうブロー（空気流）が生じる領域である。また、空間Ｊは、回転ドラム２５の構成部材のクリーニング領域であり、空間Ｉと同様のブロー（空気流）が生じる領域である。空間Ｉ及びＪのブローの発生源（図示せず）は、回転ドラム２５の外部に設けられており、該ブローの発生源と空間Ｉ及びＪとはそれぞれ個別のダクトを通じて連通している。
【００５１】
回転ドラム２５の空間Ｈ上の外周面（凹部）は、ダクト２６の一端側によって覆われている。ダクト２６は、製造装置１０Ａにおけるダクト１６と同様に構成されており、ダクト２６の図示しない他端側には、図示しない吸収体原料導入装置を有している。
【００５２】
次に、前述した吸収体の製造装置１０Ｂを用いて吸収体１Ｂを連続的に製造する方法、即ち、本発明の吸収体の製造方法の第２実施態様について、図６を参照しながら説明する。第２実施態様の製造方法は、前記剥離工程後に、回転ドラム１１の凹部１５の底面１５ａ（搬送手段の保持部）から剥離した積層体３５を、別途製造した吸収体原料層（第２層２２）に重ね合わせる重合工程を具備している。第２実施態様の製造方法では、回転ドラム１１を用いて、空間部４を有する第１層２１を形成するところ、この第１層２１の形成は、開口部６が形成された通気性シート５を用い、前述した第１実施態様と同様に堆積工程及び剥離工程を経てなされる。
【００５３】
即ち、開口部が形成されていない帯状の通気性シート原反５’をシート搬送方向ＭＤ１に搬送し、開口部形成手段１８を通過させて通気性シート原反５’に開口部６を形成し、そうして得られた開口部６が形成された帯状の通気性シート５を、回転ドラム１１の凹部１５の底面１５ａに密着させた状態で、ダクト１６で覆われた部分にて吸収体の原料を底面１５ａ上に吸引堆積し、凹部１５内に通気性シート５と堆積体３０との積層体３５を形成する（堆積工程）。然る後、ガイドロール１９の案内によって積層体３５を底面１５ａから剥離し（剥離工程）、それによって、底面１５ａにおける開口部６に対応する部位に堆積した不使用原料３２を、積層体３５から離脱させて底面１５ａ上に残存させる。こうして、底面１５ａから剥離された積層体３５における堆積体３０に空間部４が形成され、帯状の堆積体３０は帯状の第１層２１となる。
【００５４】
また別途、回転ドラム２５を用いて常法に従って帯状の第２層２２（吸収体原料層）を形成する。即ち、ダクト２６内を空気流に乗せて供給した吸収体の原料を、空間Ｈを通過中の回転ドラム２５の外周面の凹部（図示せず）内に吸引堆積して帯状の第２層２２を形成する。こうして形成された帯状の第２層２２は、回転ドラム２５のＲ３方向の回転によって回転ドラム２５の最下点位置に向けて搬送される。
【００５５】
回転ドラム２５の下方には、帯状の被覆シート３が、シート搬送方向ＭＤ１とは反対方向であるシート搬送方向ＭＤ２に水平搬送されており、回転ドラム２５の前記凹部内の帯状の第２層２２は、回転ドラム２５の前記最下点位置又はその近傍にて、搬送中の帯状の被覆シート３上に転写される。この第２層２２の転写は、回転ドラム２５における空間Ｉに生じるブロー（空気流）によってスムーズに実施される。
【００５６】
こうして帯状の被覆シート３上に転写された帯状の第２層２２は、引き続きシート搬送方向ＭＤ２に水平搬送され、回転ドラム１１の下方にて、回転ドラム１１の凹部１５の底面１５ａから剥離された帯状の積層体３５（帯状の通気性シート５と帯状の第１層２１との積層体）に、該積層体３５の第１層２１と第２層２２とが対向するように重ね合わされる（重合工程）。然る後、これらを折り返し手段２０に導入し、被覆シート３における、積層体３５（通気性シート５及び第１層２１）並びに第２層２２が載置されていない領域を、通気性シート５上に折り返す（被覆工程）。その結果、第２層２２、第１層２１及び通気性シート５が順次積層された３層構造の積層体が被覆シート３で被覆された、帯状の吸収体１Ｂが得られる。前記被覆工程後、帯状の吸収体１Ｂを切断装置（図示せず）によって吸収性物品一個分の長さに順次切断することにより、複数個の吸収体１Ｂが連続的に得られる。
【００５７】
以上、本発明の吸収体の製造方法について説明したが、本発明は、前述した実施態様に制限されず適宜変更可能である。例えば、前記実施態様は、開口部６が形成された通気性シート５とは別のシート（被覆シート３）を用いたが、被覆シート３は用いなくても良い。図７には、被覆シート３を用いずに製造した吸収体１Ｃが示されている。吸収体１Ｃにおいては、吸収性コア２Ａに比して幅広の（幅方向Ｙの長さが長い）１枚の通気性シート５が用いられ、この幅広の通気性シート５によって、吸収性コア２Ａの一面及び他面それぞれの全域が被覆されている。吸収性コア２Ａの一面における幅方向Ｙの中央部には、通気性シート５の長手方向に沿う両側縁部が重ね合わされた重合部５１が、吸収性コア２Ａの長手方向の全長に亘って形成されている。吸収性コア２Ａの他面には、通気性シート５の開口部６が存している。
【００５８】
また、前記実施態様において、回転ドラムの外周面の凹部（吸収体の原料が吸引堆積される部位）は、回転ドラムの周方向の全長に亘って連続的に形成されていたが、回転ドラムの周方向に所定の間隔を置いて間欠的に形成されていても良い。また、本発明の実施に用いる搬送手段は、被搬送物を保持部で吸引保持しつつ搬送し得るものであれば良く、前述した回転ドラムに限定されず、例えば、駆動ロール及び従動ロールに架け渡された無端状の通気性ベルトと、相対向する該通気性ベルト間に介在配置されたバキューム機構とを備えたものでも良い。
【００５９】
前述した一の実施態様における説明省略部分及び一の実施態様のみが有する構成要件は、それぞれ他の実施態様に適宜適用することができ、また、各実施態様における構成要件は、適宜、実施態様間で相互に置換可能である。
【符号の説明】
【００６０】
１Ａ，１Ｂ，１Ｃ  吸収体
２Ａ，２Ｂ  吸収性コア
３  被覆シート
４  空間部
５’  通気性シート原反
５  通気性シート
６  開口部
１０Ａ，１０Ｂ  吸収体の製造装置
１１，２５  回転ドラム（搬送手段）
１２  ドラム本体
１３  多孔性プレート
１４  パターン形成プレート
１５  凹部
１５ａ  凹部の底面（保持部）
１６，２６  ダクト
１７  回収手段
１８  開口部形成手段
１９  ガイドロール
２０  折り返し手段
２１  吸収性コアの第１層
２２  吸収性コアの第２層
３０  堆積体
３２  不使用原料
３５  通気性シートと堆積体との積層体
【図１】
0005836075.tif 000002
【図２】
0005836075.tif 000003
【図３】
0005836075.tif 000004
【図４】
0005836075.tif 000005
【図５】
0005836075.tif 000006
【図６】
0005836075.tif 000007
【図７】
0005836075.tif 000008